(57)【要約】【課題】パッシェン放電によって発生する逆転写、前転写、後転写の発生を抑えて転写効率を向上させる。【解決手段】本発明の画像形成装置の転写ユニットにおいて、感光体ドラムに対して転写ベルトを介して補助転写ローラと主転写ローラとを配設し、補助転写ローラに高電界を発生させないための低い電圧を印加しつつ、主転写ローラに十分な転写を実現するための高転写電圧を印加する。【選択図】図１
2004246323.tif 000002
【特許請求の範囲】
【請求項１】
トナー画像を保持する像担持体を有して画像を形成する画像形成装置であって、
前記像担持体に対向して配設されるベルト状部材と、
前記像担持体に対する前記ベルト状部材の移動方向の上流側から前記ベルト状部材を前記像担持体に押圧する第１の押圧部材と、
この第１の押圧部材が前記像担持体を押圧する押圧部から前記ベルト状部材が前記像担持体に密着するよう配設され、前記像担持体に対する前記ベルト状部材の移動方向の下流側から前記ベルト状部材を前記像担持体に押圧する第２の押圧部材と、
前記像担持体にトナー画像が保持された際、前記ベルト状部材もしくは前記ベルト状部材上で搬送される転写材へ静電転写するため前記第１、第２の押圧部材に異なる電圧を印加する電圧印加部と、
を具備したことを特徴とする画像形成装置。
【請求項２】
トナー画像を保持する像担持体を有して画像を形成する画像形成装置であって、
前記像担持体に対向して配設されるベルト状部材と、
前記像担持体に対する前記ベルト状部材の移動方向の上流側から前記ベルト状部材を前記像担持体に押圧する第１の押圧部材と、
この第１の押圧部材が前記像担持体を押圧する押圧部から前記ベルト状部材が前記像担持体に密着するよう配設され、前記ベルト状部材の移動方向における前記第１の押圧部材の下流側で前記ベルト状部材を前記像担持体に押圧する第２の押圧部材と、
この第２の押圧部材が前記像担持体を押圧する押圧部から前記ベルト状部材が前記像担持体に密着するよう配設され、前記ベルト状部材の移動方向における前記第２の押圧部材の下流側で前記ベルト状部材を前記像担持体に押圧する第３の押圧部材と、
前記像担持体にトナー画像が保持された際、前記ベルト状部材もしくは前記ベルト状部材上で搬送される転写材へ静電転写するため前記第１、第２、第３の押圧部材に異なる電圧を印加する電圧印加部と、
を具備したことを特徴とする画像形成装置。
【請求項３】
トナー画像を保持する像担持体を有して画像を形成する画像形成装置の画像形成方法であって、
前記像担持体に対向してベルト状部材を配設し、
前記像担持体に対して前記ベルト状部材を前記像担持体に押圧する複数の押圧部材を配設すると共に、この複数の押圧部材で押圧される押圧部間でのみ前記像担持体と前記ベルト状部材とが密着するよう配設し、
前記像担持体にトナー画像が保持された際、前記ベルト状部材もしくは前記ベルト状部材上で搬送される転写材へ静電転写するため前記複数の押圧部材に異なる電圧を印加するようにしたことを特徴とする画像形成方法。
【発明の詳細な説明】
【技術分野】
【０００１】
この発明は、原稿の画像を読み取って画像を形成する電子複写機等の画像形成装置と画像形成方法に関する。
【背景技術】
【０００２】
従来、カラーの電子複写機として、４つの感光体ドラムを有する４連タンデム方式の画像形成装置がある。
【０００３】
４連タンデム方式の画像形成装置には、感光体ドラム上のトナー画像を紙に直接転写する方式（直接転写方式）と、４色のトナー画像を一度半導電性の中間転写体に転写（１次転写）してから、紙に一括転写（２次転写）する中間転写方式との２種類がある。
【０００４】
１次転写では、感光体ドラムと転写ローラとの間に発生する転写電界によって感光体ドラム上のトナーが中間転写体へ転写されるのだが、転写電界が小さすぎると中間転写体にトナーが転写せず多くのトナーが感光体ドラム上に残る（残転写）。一方で、転写電界が大きすぎると、転写ニップ部（転写接触部）近傍のエアギャップ部で発生するパッシェン放電が原因で一度転写材に転写したトナーが再び感光体ドラム上に引き戻される現象（逆転写）が発生する。このように転写電界により、相反する問題が生じる。
【０００５】
さらに、転写ニップ部前後のギャップ部では、転写電界に沿って感光体上のトナーの一部が転写材へ飛散し（前転写、後転写）、画像を大きく劣化させる問題もあり、これらの現象をいかにして抑制できるかが大きな課題であった。
【０００６】
また、感光体ドラムにクリーナを配設しない感光体クリーナレス方式の画像形成装置においては、転写材に転写されずに感光体ドラム上に残ったトナー（残転写トナー）を現像器内に回収できるので廃トナーを低減できる。さらに感光体ドラムの寿命を長くすることができるというメリットがある。
【０００７】
しかしながら、複数色のトナーが同時に逆転写現象を発生すると現像器内のトナーが混色してしまうという大きな問題があった。
【０００８】
これらはすべて、転写ニップ部周辺の転写電界が完全に制御できていないために発生する問題である。
【特許文献１】特開平９−１３４０８２号公報
【特許文献２】特開２００２−８２５４６号公報
【発明の開示】
【発明が解決しようとする課題】
【０００９】
上記したように、４連タンデム方式の画像形成装置の１次転写では、感光体ドラムと転写ローラとの間に発生する転写電界によって感光体ドラム上のトナーが中間転写体へ転写されるのだが、転写電界が大きすぎると転写ニップ部（転写接触部）近傍のエアギャップ部で発生するパッシェン放電が原因で一度転写材に転写したトナーが再び感光体ドラム上に引き戻される現象（逆転写）が発生し、また、転写ニップ部前後のギャップ部では、転写電界に沿って感光体上のトナーの一部が転写材へ飛散し（前転写、後転写）、効率よく転写をすることができないという問題があった。
【００１０】
この発明の目的は、パッシェン放電によって発生する逆転写、前転写、後転写の発生を抑えて転写効率の高い画像形成装置と画像形成方法を提供することである。
【課題を解決するための手段】
【００１１】
この発明の画像形成装置は、トナー画像を保持する像担持体を有して画像を形成する画像形成装置であって、前記像担持体に対向して配設されるベルト状部材と、前記像担持体に対する前記ベルト状部材の移動方向の上流側から前記ベルト状部材を前記像担持体に押圧する第１の押圧部材と、この第１の押圧部材が前記像担持体を押圧する押圧部から前記ベルト状部材が前記像担持体に密着するよう配設され、前記像担持体に対する前記ベルト状部材の移動方向の下流側から前記ベルト状部材を前記像担持体に押圧する第２の押圧部材と、前記像担持体にトナー画像が保持された際、前記ベルト状部材もしくは前記ベルト状部材上で搬送される転写材へ静電転写するため前記第１、第２の押圧部材に異なる電圧を印加する電圧印加部とから構成されている。
【００１２】
また、この発明の画像形成方法は、トナー画像を保持する像担持体を有して画像を形成する画像形成装置の画像形成方法であって、前記像担持体に対向してベルト状部材を配設し、前記像担持体に対して前記ベルト状部材を前記像担持体に押圧する複数の押圧部材を配設すると共に、この複数の押圧部材で押圧される押圧部間でのみ前記像担持体と前記ベルト状部材とが密着するよう配設し、前記像担持体にトナー画像が保持された際、前記ベルト状部材もしくは前記ベルト状部材上で搬送される転写材へ静電転写するため前記複数の押圧部材に異なる電圧を印加するようにしたことを特徴とする。
【発明の効果】
【００１３】
本発明の画像形成装置は、パッシェン放電によって発生する逆転写、前転写、後転写の発生を抑えて転写効率を向上させることが可能となる。
【発明を実施するための最良の形態】
【００１４】
以下、図面を参照して、この発明の実施の形態について詳細に説明する。
【００１５】
図１は、この発明の画像形成装置の第１実施例に係る４連タンデム型画像形成装置を説明するための概略図である。以下図面を参照して、カラー画像の連続印字動作について説明する。
【００１６】
感光体ドラム３０３ａ〜３０３ｄは、ＯＰＣ（Organic Photo Conductor：有機光導電物質）であり、図示矢印方向へ回転可能に設けられている。
【００１７】
画像形成過程について、画像形成ユニットａ３を用いて説明する。
【００１８】
まず、スコロトロン帯電器３０５ａが、感光体ドラム３０３ａを一様にマイナス（−）に帯電させる。スコロトロン帯電器３０５ａの下流側には、図示されない露光装置が設けられている。帯電した感光体ドラム３０３ａは、画像情報に則した露光が行われることによって静電潜像を形成する。
【００１９】
図示されない露光装置の下流には、イエローの現像剤（トナー）を収容する２成分現像器３０９ａが配設されている。感光体ドラム３０３ａ上の静電潜像は、イエロートナーによって反転現像され、感光体ドラム３０３ａ上にトナー画像が形成される。
【００２０】
転写材である用紙Ｐは、図示されない用紙カセットから搬送され、感光体３０３ａ上にトナー画像を形成するタイミングに合わせて、アライニングローラ３１４によって転写ベルト３１１上に送り出される。
【００２１】
現像器３０９ａの下流には、詳しくは後述するが本発明に係る転写ローラ３２３ａ、３２４ａが配設されている。転写ローラ３２３ａには電源（Ｖ１）３２６ａ、転写ローラ３２４ａには直流電源（Ｖ２）３２７ａによってトナーの帯電極性とは逆極性のバイアス（＋）が印加されている。その結果、感光体ドラム３０３ａ上のトナー画像は、感光体ドラム３０３ａと転写ローラ３２３ａ，３２４ａとの間で形成される転写電界によって用紙Ｐ上に転写される。
【００２２】
このとき、用紙Ｐに完全に転写されずに感光体ドラム３０３ａ上に残った一部のトナー（残転写トナー）は、感光体クリーナ３２０ａによってクリーニングされ、図示されない廃トナーボックスへ廃トナーとして送られる。
【００２３】
感光体ドラム３０３ａの表面のクリーニングされた部分は、除電装置３２１ａで露光されることによって除電された後、再び、帯電→露光→現像の過程を繰り返す。
【００２４】
画像形成ユニットａ１でトナー画像が形成されるタイミングに合わせて、画像形成ユニットｂ３、ｃ３、ｄ３でも同様のプロセスが行われる。画像形成ユニットｂ３〜ｄ３の感光体３０３ｂ〜３０３ｄ上に形成されたマゼンタ、シアン、ブラックのトナー画像についても、転写ベルト３１１によって搬送される用紙Ｐ上に順次転写される。
【００２５】
転写ベルト３１１の下流側には、用紙Ｐ上のトナーを定着するための図示されない定着器が配設されており、定着器に用紙Ｐを通過させることによって定着画像が得られる。
【００２６】
図２は、上記第１実施例に係る４連タンデム型画像形成装置の制御系の構成を示すものである。すなわち、全体を制御するＣＰＵ１には、予め決められている数値データあるいは当該装置を動作させるための制御データなどが記憶されているＲＯＭ２、入力される複写条件データなどが一時的に記憶されるＲＡＭ３、画像形成手段としての機構制御部４、様々な複写条件並びに複写動作を開始させる複写開始信号などを入力するコントロールパネル５、及び高圧出力制御部６とが接続されている。
【００２７】
なお、機構制御部４は、図１で説明した４連タンデム型画像形成装置の内部構成の各部に対応している。
【００２８】
また、高圧出力制御部６には、電圧印加装置としての電源（Ｖ１）３２６ａ、電圧印加装置としての直流電源（Ｖ２）３２７ａ、…及び電圧印加装置としての直流電源（Ｖ２）３２７ｄが接続されている。
【００２９】
次に、第１実施例の転写ユニットについて説明する。
【００３０】
図３，４は、従来の転写ローラを用いた転写ユニットを示すものである。
【００３１】
図３に示す従来の転写ユニットでは、感光体ドラム９０３上のトナーを転写ベルト９１１に転写させるため、電圧印加装置９２７から転写ローラ９２３に高電圧（通常１ｋＶから３ｋＶ）を印加する。そのため、感光体ドラム９０３と、転写ベルト９１１あるいは転写ローラ９２３との間に存在するエアギャップ部にも高電界が生じ、パッシェン放電や前転写（放電発生部位１）、後転写（放電発生部位２）が発生する。その結果、転写効率の低下や画像の劣化を招くことになる。
【００３２】
また、図４に示す従来の転写ユニットでも、感光体ドラム９０４と、転写ベルト９１２あるいは転写ローラ９２４，９２５との間に存在するエアギャップ部にパッション放電が発生する。
【００３３】
特に、「前転写」は、画像を大きく悪化することが知られている。
【００３４】
図５は、図１で説明した画像形成ユニットａ３の転写ローラ３２３ａ，３２４ａを用いた転写ユニットの構成を示すものである。転写ローラ３２３ａと転写ローラ３２４ａは、それぞれのローラが形成する押圧部が、感光体ドラム３０３の中心と各ローラの中心とを結んだ直線上に存在するように配設されている。
【００３５】
また、本実施例の転写ユニットは、特に転写ニップ部上流のエアギャップ周辺部の電界制御を可能にするものである。すなわち、補助転写ローラとしての転写ローラ３２３ａに高電界を発生させないための低い電圧を積極的に印加しつつ、主転写ローラとしての転写ローラ３２４ａに十分な転写を実現するための高転写電圧を印加する。これによって、良好な画像と高転写効率との両立が可能となる。
【００３６】
図５に示す構成において、転写ローラ３２３ａは転写ベルト３１１を介して感光体ドラム３０３を押圧している。そのため、転写ニップ部上流のエアギャップ部の電界は、転写ローラ３２３ａの印加電圧のみで規定され、転写ローラ３２４ａの電圧の影響を受けない。すなわち、転写ローラ３２３ａに低い電圧を印加することにより、転写ニップ部上流のエアギャップ部のパッシェン放電や前転写を抑えることが可能となる。
【００３７】
さらに、感光体ドラム３０３と転写ベルト３１１との密着部は、転写ローラ３２３ａと転写ローラ３２４ａの押圧部間の領域のみとしている。それにより、転写ローラ３２３ａと転写ローラ３２４ａの押圧部にエアギャップが生じない。
【００３８】
転写ローラ３２４ａの押圧部下流側は、トナーへ働く電界の力が圧倒的に転写ベルト３１１側に働いている段階で感光体ドラム３０３と転写ベルト３１１とを引き離す（すなわちギャップを設ける）。このような構成をとることにより、高転写効率を実現している。
【００３９】
なお、転写ローラ３２４ａの下流側に密着部が有る場合は、パッシェン放電を押さえることに関しては有効であるが、トナーへ働く転写電界の力が弱くなり転写効率の低下を招くことになる。
【００４０】
図５では、画像形成ユニットａ３について説明したが、画像形成ユニットｂ３、ｃ３、ｄ３でも同様であるので説明を省略する。
【００４１】
図６は、従来の１つの転写ローラを有する転写ユニットと、本実施例の転写ユニットを用いた時の転写効率と画質との関係を示すものである。
【００４２】
感光体ドラムや転写ベルト、転写ローラの径や材質など、種々の組み合わせが可能である。本実施例では、感光体ドラムとしてφ６０ｍｍのＯＰＣドラム、転写ローラとしてφ１８ｍｍのカーボン分散タイプの導電性発泡ウレタンローラ（心金φ１０ｍｍ、心金とローラ表面との抵抗率：約１０９Ω／ｍ）、転写ベルトとしてカーボン分散タイプのポリイミド（厚さ１００μｍ、体積抵抗１０１２Ωｃｍ）を用いた。
【００４３】
その結果、従来の転写効率が９２％以下であるのに対して、本実施例の転写効率が９５％以上であった。当然、ドットの塵の目視評価では、従来が「悪い」で、本実施例が「良い」となった。
【００４４】
上述したように、本第１実施例の転写ユニットを用いることにより、画質の劣化を引き起こすことなく、高転写効率を実現することができる。
【００４５】
なお、より積極的に放電を抑制する場合は、補助転写ローラへの印加電圧を感光体ドラムの帯電電位と同極性（例えば、−５０［Ｖ］）に設定することも可能である、
また、本実施例の構成は、残転写トナーや逆転写トナーの発生を最小限に抑えることが可能なことから、感光体クリーナレス方式の画像形成装置にも最適である。
【００４６】
図７は、第１実施例の転写ユニットを用いた中間転写方式の４連タンデム型画像形成装置の構成例を示すものである。画像形成ユニットａ４、ｂ４、ｃ４、ｄ４は、画像形成ユニットａ３と同様であるので説明を省略する。異なる点は、中間転写体部４２９で１次転写してから紙に一括転写する。
【００４７】
すなわち、中間転写体部４２９において、中間転写体４３０に一次転写されたトナー画像が転写ローラ４２３ｅ，４２４ｅとによって紙に一括転写される。
【００４８】
転写ローラ４２３ｅには電源（Ｖ１）４２６ｅ、転写ローラ４２４ｅには直流電源（Ｖ２）４２７ｅによってトナーの帯電極性とは逆極性のバイアス（＋）が印加されている。その結果、中間転写体４３０上のトナー画像は、中間転写体４３０と転写ローラ４２３ｅ，３２４ｅとの間で形成される転写電界によって用紙Ｐ上に転写される。
【００４９】
図８は、感光体クリーナレス方式の４連タンデム型画像形成装置の構成例を示すものである。この画像形成装置は、図７と同様に中間転写方式であるが、画像形成ユニットａ５、ｂ５、ｃ５、ｄ５に感光体クリーナが設けられていない構成となっている。
【００５０】
次に、第２実施例について説明する。
【００５１】
図９は、第２実施例に基づく転写ユニットを示すものである。第２実施例の転写ユニットでは、転写ニップ部の上流及び下流におけるエアギャップ周辺部の電界制御を可能にするものである。
【００５２】
第２実施例の構成は、ローラ１とローラ３（補助転写ローラ）に高電界を発生させないための低い電圧を積極的に印加しつつ、ローラ２（主転写ローラ）に十分な転写を実現するための高転写電圧を印加することによって、良好な画像と高転写効率の両立を可能とする。
【００５３】
ローラ１及びローラ３は転写ベルトを介して感光体ドラムを押圧しているので、転写ニップ部上流と下流のエアギャップ部の電界はローラ２の電圧の影響を受けない。すなわち、ローラ１、ローラ３に低い電圧を印加することによって転写ニップ部上流と下流のエアギャップ部のパッシェン放電や前転写、後転写を抑えることが可能となる。
【００５４】
さらに、感光体ドラムと転写ベルトの密着部は、ローラ１とローラ３の押圧部間の領域のみとしている。その結果、ローラ３の押圧部下流側は、トナーへ働く電界の力が圧倒的に転写ベルト側に働いている段階で感光体ドラムと転写ベルトを引き離す（すなわちギャップを設ける）構成をとることによって高転写効率を実現している。ローラ３の下流側に密着部が有る場合は、パッシェン放電を押さえることに関しては有効であるが、トナーへ働く転写電界の力が弱くなり転写効率の低下を招くことになる。
【００５５】
なお、ローラ１への電圧印加装置（Ｖ１）、ローラ２への電圧印加装置（Ｖ２）、及びローラ３への電圧印加装置（Ｖ３）とは、図２で示した高圧出力制御部６により制御される。
【００５６】
図１０は、図９で示したローラ２の代りに転写ブレードを用いた構成である。図９で示した構成、効果と同様であるので説明を省略する。
【００５７】
図１１は、１つの転写ローラを有する転写ユニットと、本実施例の転写ユニットを用いた時の転写効率と画質との関係を示すものである。
【００５８】
感光体ドラムや転写ベルト、転写ローラの径や材質など、種々の組み合わせが可能である。本実施例では、感光体ドラムとしてφ６０ｍｍのＯＰＣドラム、転写ローラとしてφ１８ｍｍのカーボン分散タイプの導電性発泡ウレタンローラ（心金φ１０ｍｍ、心金とローラ表面との抵抗率：約１０９Ω／ｍ）を、転写ベルトとしてカーボン分散タイプのポリイミド（厚さ１００μｍ、電気抵抗１０１２Ωｃｍ）を用いた。
【００５９】
その結果、従来の転写効率が９２％以下であるのに対して、本実施例の転写効率が９５％以上であった。当然、ドットの塵の目視評価では、従来が「悪い」で、本実施例が「非常に良い」となった。
【００６０】
第２実施例の転写ユニットを用いることによって、画質の劣化を引き起こすことなく、高転写効率を実現することができる。特に、転写材移動方向上流側のローラ１に対する印加電圧を最も低く設定することによって、画質への影響が著しい前転写を抑制し、ドットなどの再現性を高くすることが可能となる。そのため、第２実施例では、より積極的に転写ニップ部前段でのパッシェン放電や前転写を抑制するため、ローラ１への印加電圧を最も低く設定している。
【００６１】
なお、より積極的に放電を抑制する場合は、ローラ１への印加電圧を感光体の帯電電位と同極性（例えば−５０［Ｖ］）に設定することも可能である。
【００６２】
転写ニップ部の下流側で発生する後転写に関しては、前転写ほど画質の劣化を招かないのでローラ３の設定電圧の自由度はローラ１に比べて大きいが、トナーを転写材側に引き付ける電界を形成する必要がある。従って、ローラ３の印加電圧の極性は、トナーの帯電極性と反対とし、感光体ドラムの背面電位よりも高く設定する必要がある（例えば＋９００Ｖ）。
【００６３】
第２実施例の構成は、残転写トナーや逆転写トナーの発生を最小限に抑えることが可能なことから、感光体クリーナレス方式の画像形成装置にも最適である。
【００６４】
また、押圧部の数は４カ所以上にすることも可能である。
【００６５】
図１２は、第２実施例の転写ユニットを用いた中間転写方式の４連タンデム型画像形成装置の構成を示すものである。画像形成ユニットａ６は、感光体ドラム６０３ａ、スコロトロン帯電器６０３ａ、２成分現像器６０９ａ、転写ローラ６２３ａ，６２４ａ，６２５ａ、感光体クリーナ６２０ａ、及び除電装置６２１ａとから構成されている。転写ローラ６２３ａには電源（Ｖ１）３２６ａ、転写ローラ６２４ａには直流電源（Ｖ２）６２７ａ、転写ローラ６２５ａには直流電源（Ｖ３）６２８ａが接続されている。
【００６６】
画像形成ユニットｂ６，ｃ６，ｄ６は、画像形成ユニットａ６と同様の構成であるので説明を省略する。
【００６７】
そして、中間転写体部６２９で１次転写してから紙に一括転写される。すなわち、中間転写体部６２９において、中間転写体６３０に一次転写されたトナー画像が転写ローラ６２３ｅ，６２４ｅ，６２５ｅとによって紙に一括転写される。
【００６８】
図１３は、感光体クリーナレス方式の４連タンデム型画像形成装置の構成を示すものである。この画像形成装置は、図１２と同様に中間転写方式であるが、画像形成ユニットａ７、ｂ７、ｃ７、ｄ７に感光体クリーナが設けられていない構成となっている。
【００６９】
図１４は、第２実施例の転写ユニットを用いたリボルバー方式の画像形成装置の構成を示すものである。すなわち、リボルバー方式においても第２実施例の転写ユニットを適用することが可能である。図１４において、感光体ドラムに対し、ローラ１、ローラ２、ローラ３は、それぞれ主転写ローラあるいは補助転写ローラとして上述した転写が行われる。
【００７０】
以上説明したように上記発明の実施の形態によれば、逆転写や前転写、後転写を発生させずに高転写効率と高画質の両立を可能とすることができる。
【００７１】
なお、本願発明は、上記（各）実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【図面の簡単な説明】
【００７２】
【図１】この発明の画像形成装置の第１実施例に係る４連タンデム型画像形成装置の概略構成を示す断面図。
【図２】４連タンデム型画像形成装置の制御系を示すブロック図。
【図３】従来の転写ローラを用いた転写ユニットを示す図。
【図４】従来の転写ローラを用いた転写ユニットを示す図。
【図５】第１実施例における転写ユニットの構成を示す図。
【図６】転写効率と画質の関係を示す図。
【図７】第１実施例の転写ユニットを用いた中間転写方式の４連タンデム型画像形成装置の構成例を示す図。
【図８】感光体クリーナレス方式の４連タンデム型画像形成装置の構成例を示す図。
【図９】第２実施例に基づく転写ユニットを示す図。
【図１０】第２実施例に基づく転写ユニットを示す図。
【図１１】転写効率と画質の関係を示す図。
【図１２】第２実施例の転写ユニットを用いた中間転写方式の４連タンデム型画像形成装置の構成を示す図。
【図１３】感光体クリーナレス方式の４連タンデム型画像形成装置の構成例を示す図。
【図１４】第２実施例の転写ユニットを用いたリボルバー方式の画像形成装置の構成例を示す図。
【符号の説明】
【００７３】
１…ＣＰＵ、２…ＲＯＭ、３…ＲＡＭ、４…機構制御部、５…コントロールパネル、６…高圧出力制御部、３０３ａ〜３０３ｄ…感光体ドラム、３０５ａ〜３０５ｄ…スコロトロン帯電器、３０９ａ〜３０９ｄ…現像器、３１１…転写ベルト、３２０ａ〜３２０ｄ…感光体クリーナ、３２３ａ〜３２３ｄ，３２４ａ〜３２４ｄ…転写ローラ、３２６ａ〜３２６ｄ…電源（Ｖ１）、３２７ａ〜３２７ｄ…直流電源（Ｖ２）。
【図１】
2004246323.tif 000003
【図２】
2004246323.tif 000004
【図３】
2004246323.tif 000005
【図４】
2004246323.tif 000006
【図５】
2004246323.tif 000007
【図６】
2004246323.tif 000008
【図７】
2004246323.tif 000009
【図８】
2004246323.tif 000010
【図９】
2004246323.tif 000011
【図１０】
2004246323.tif 000012
【図１１】
2004246323.tif 000013
【図１２】
2004246323.tif 000014
【図１３】
2004246323.tif 000015
【図１４】
2004246323.tif 000016